(57)【要約】【課題】  光軸のズレ防止を可能とした光導波路部材の固定構造を提供する。【解決手段】  光導波路台１０は、光導波路部材７を収納するための収納凹部２５を有し、この収納凹部２５は、位置決め用の第一基準面２８及び第二基準面２９と、第一基準面２８に対向する第一対向面３０及び第二基準面２９に対向する第二対向面３１とを有する。第一対向面３０は、第一基準面２８に向けて光導波路部材７を押し付ける第一押し付け部３４を有し、第二対向面３１は、第二基準面２９に向けて光導波路部材７を押し付ける第二押し付け部３５を有する。【選択図】    図１
2007052163.tif 000002
【特許請求の範囲】
【請求項１】
光導波路を有する光導波路部材を、前記光導波路との光学的接続の際に用いる光導波路台に対して取付固定するための光導波路部材の固定構造において、
前記光導波路台は、前記光導波路部材を収納するための収納凹部を有し、該収納凹部は、位置決め用の第一基準面及び第二基準面と、前記第一基準面に対向する第一対向面及び前記第二基準面に対向する第二対向面とを有し、さらに、前記第一対向面は、前記第一基準面に向けて前記光導波路部材を押し付ける第一押し付け部を有し、前記第二対向面は、前記第二基準面に向けて前記光導波路部材を押し付ける第二押し付け部を有する
ことを特徴とする光導波路部材の固定構造。
【請求項２】
請求項１に記載の光導波路部材の固定構造において、
前記光導波路台は、前記収納凹部に連通して前記光導波路との光学的接続に用いる複数の接続用貫通孔を有し、前記収納凹部は、前記接続用貫通孔と前記収納凹部の開口縁部との間に、前記光導波路部材の収納取付方向にのびる切り欠き部を有する
ことを特徴とする光導波路部材の固定構造。
【請求項３】
請求項１又は請求項２に記載の光導波路部材の固定構造において、
前記光導波路台に対し嵌合するとともに、前記光導波路部材に対して直接的又は間接的に接触するカバーを備える
ことを特徴とする光導波路部材の固定構造。
【発明の詳細な説明】
【技術分野】
【０００１】
本発明は、光導波路を有する光導波路部材を光導波路台に対して取付固定するための固定構造に関する。
【背景技術】
【０００２】
光ファイバ間において、この光ファイバにより伝送される光信号の中継及び／又は光分波・光合波を行うための装置としては、光ジャンクションブロックが知られている（例えば下記特許文献１参照）。また、受発光素子を有し光ファイバとの接続が可能な装置としては、光コネクタや光ジャンクションコネクタなどの光通信モジュールが知られている（例えば下記特許文献２参照）。これら光ジャンクションブロックなどには、光導波路を有する光導波路部材が備えられている。
【０００３】
下記特許文献１の光ジャンクションブロックにおいて、この光ジャンクションブロックに備えられる光導波路部材は、例えば平面視矩形となるようなチップ状に形成されている。このような光導波路部材の内部には、光導波路が所望の経路となるように配索されている。光導波路部材は、この端面と光導波路の端面とが同一平面となるように形成されている。
【０００４】
上記光導波路部材の裏面には、位置決め用のガイド突起が複数形成されている。光導波路部材は、この光導波路部材を装着するための台に形成されるガイド溝に対し、ガイド突起が差し込まれ、且つ前記台に嵌合するカバーによって保持されることにより、取付固定がなされるようになっている。
【特許文献１】特開２００５−１６５１８１号公報
【特許文献２】特開２００４−１３８９６６号公報
【発明の開示】
【発明が解決しようとする課題】
【０００５】
光導波路部材は、光導波路とこれに接続される部品との間で光軸にズレがないように取付固定を行うことが大切であり、ガイド突起とガイド溝との差し込みによる位置決めを行う上記従来技術にあっては、ガイド突起及びガイド溝の寸法精度を十分に管理していないと、多少のガタが生じて光軸がズレてしまうという恐れを有している。光軸のズレは、接続損失が増大するという不具合に繋がることになる。
【０００６】
その他、光導波路部材は、この端面に光導波路の端面が露出するような構造であることから、光導波路の端面が取付固定の際に相手部材（台）に対して不本意な状態で接触すると、傷が生じてしまうという恐れを有している。光導波路の端面に傷が発生すると、この場合も上記同様に不具合に繋がることになる。
【０００７】
本発明は、上述した事情に鑑みてなされたもので、光軸のズレ防止を可能とした光導波路部材の固定構造を提供することを課題とする。また、光導波路の端面保護を可能とした光導波路部材の固定構造を提供することを課題とする。
【課題を解決するための手段】
【０００８】
上記課題を解決するためになされた請求項１記載の本発明の光導波路部材の固定構造は、光導波路を有する光導波路部材を、前記光導波路との光学的接続の際に用いる光導波路台に対して取付固定するための光導波路部材の固定構造において、前記光導波路台は、前記光導波路部材を収納するための収納凹部を有し、該収納凹部は、位置決め用の第一基準面及び第二基準面と、前記第一基準面に対向する第一対向面及び前記第二基準面に対向する第二対向面とを有し、さらに、前記第一対向面は、前記第一基準面に向けて前記光導波路部材を押し付ける第一押し付け部を有し、前記第二対向面は、前記第二基準面に向けて前記光導波路部材を押し付ける第二押し付け部を有することを特徴としている。
【０００９】
このような特徴を有する本発明によれば、光導波路台の収納凹部に対し光導波路部材を嵌め込むような格好にして取り付けを開始すると、光導波路部材が第一押し付け部及び第二押し付け部によって第一基準面及び第二基準面に押し付けられる。光導波路部材は、この端面（側面）を介して第一基準面及び第二基準面に押し付けられる。これにより光導波路部材は、収納凹部での動きが阻止される。すなわち、光導波路部材は、収納凹部に収納されると位置決めがなされ、また、固定も同時になされる。光導波路部材は、光導波路台の第一押し付け部及び第二押し付け部の存在によりむしろ圧入状態となり、位置決め及び固定がなされる。
【００１０】
請求項２記載の本発明の光導波路部材の固定構造は、請求項１に記載の光導波路部材の固定構造において、前記光導波路台は、前記収納凹部に連通して前記光導波路との光学的接続に用いる複数の接続用貫通孔を有し、前記収納凹部は、前記接続用貫通孔と前記収納凹部の開口縁部との間に、前記光導波路部材の収納取付方向にのびる切り欠き部を有することを特徴としている。
【００１１】
このような特徴を有する本発明によれば、光導波路台の収納凹部に対し光導波路部材を取り付けすると、収納凹部の切り欠き部の存在により、光導波路部材は光導波路の端面が収納凹部に対して非接触の状態で収納される。光導波路の端面は、例えば収納凹部によって擦れることがなく、結果、端面の状態が良好に維持される。
【００１２】
請求項３記載の本発明の光導波路部材の固定構造は、請求項１又は請求項２に記載の光導波路部材の固定構造において、前記光導波路台に対し嵌合するとともに、前記光導波路部材に対して直接的又は間接的に接触するカバーを備えることを特徴としている。
【００１３】
このような特徴を有する本発明によれば、光導波路台の収納凹部に収納されて取付固定された光導波路部材は、カバーによっても押さえ付けられる。光導波路部材は、この取り外し方向の動きも阻止される。カバーは、光導波路部材に対し直接的に接触して押さえ付けを行う場合と、光導波路部材との間に例えば弾性部材を介在させて間接的に接触し押さえ付けを行う場合との二つがあるものとする。カバーは、例えば振動が生じるような使用形態の場合において有用となる。
【発明の効果】
【００１４】
請求項１に記載された本発明によれば、光軸のズレを防止することができるという効果を奏する。これにより、光学的な接続を良好な状態にすることができるという効果を奏する。本発明によれば、光導波路部材を嵌め込み圧入形式で取付固定する構造であることから、生産性・量産性に優れるという効果も奏する。
【００１５】
請求項２に記載された本発明によれば、光導波路の端面を保護することができるという効果を奏する。これにより、光学的な接続をより一層良好な状態にすることができるという効果を奏する。
【００１６】
請求項３に記載された本発明によれば、光軸のズレをより一層確実に防止することができるという効果を奏する。
【発明を実施するための最良の形態】
【００１７】
以下、図面を参照しながら説明する。図１は本発明の光導波路部材の固定構造の一実施の形態を示す一芯双方向光通信モジュールの斜視図である。また、図２は図１の一芯双方向光通信モジュールの分解斜視図、図３は光導波路部材の固定構造の模式図である。
【００１８】
図１及び図２において、引用符号１は一芯双方向光通信モジュールを示している。一芯双方向光通信モジュール１は、フェルール２を介して一本の光ファイバ３を光学的に接続することができるように構成されている。具体的な構成の一例として、一芯双方向光通信モジュール１は、既知の発光素子４及び受光素子５と、光導波路６を有する光導波路部材７と、既知の光フィルタ８と、フェルール接続部９を有する光導波路台１０とを備えて構成されている。
【００１９】
一芯双方向光通信モジュール１は、光導波路部材７を光導波路台１０に対して固定するための本発明の特徴となる固定構造を有している。一芯双方向光通信モジュール１は、後述するが、本発明の固定構造を有することにより、光軸のズレを防止したり、光導波路６の端面を保護したりすることができるようになっている。
【００２０】
先ず、本発明の固定構造をふまえながら上記各構成部材について説明し、次いで、本発明の固定構造の作用を説明する。図面は図１ないし図３を参照する。
【００２１】
光導波路部材７は、平面視矩形状の板状部材（形状は一例であるものとする。本形態では恰もチップ状部材に形成されている）であって、複数の光導波路６と、この複数の光導波路６が配置形成される合成樹脂製の基板１１とを備えて構成されている。光導波路６は、コア及びこのコアよりも屈折率の低いクラッドを有している。このような光導波路６は、基板１１に対して所望の経路で配置されている（図中の配置状態に限定されないものとする）。光導波路６の端面は、基板１１の端面（光導波路部材７の端面）に対して同一平面となるように配置形成されている。
【００２２】
光導波路部材７の材質及び製造方法に関して、本形態においては、例えば上記特許文献１に開示される技術が適用されているものとする。
【００２３】
基板１１は、平坦な表面１２及び裏面（符号省略）を有している。また、基板１１は、平坦な前面１３、後面１４、左側面１５、及び右側面１６を有している。表面１２には、光導波路６が配置形成されている。前面１３及び後面１４には、光導波路６の端面が同一平面で連続するよう配置形成されている。
【００２４】
光導波路台１０は、合成樹脂製のものであって、台本体１７と、この台本体１７に連続する一対の基板固定部１８とを有している。台本体１７は、上面１９、下面２０、前面２１、後面２２、左側面２３、及び右側面２４を有している。左側面２３及び右側面２４の各後部には、略ブロック形状の基板固定部１８がそれぞれ連成されている。光導波路台１０は、所謂光コネクタハウジングの機能を有している。
【００２５】
台本体１７には、光導波路部材７を取付固定するための収納凹部２５と、この収納凹部２５に連通する上記フェルール接続部９と、収納凹部２５に連通する一対の素子接続部２６とが形成されている。収納凹部２５は、台本体１７の上面１９を凹ませるようにして形成されている。収納凹部２５は、平坦な底面２７と四つの平坦な側面とを有している。四つの側面は具体的に、位置決め用の第一基準面２８及び第二基準面２９と、第一基準面２８に対向する第一対向面３０及び第二基準面２９に対向する第二対向面３１とを有して構成されている。
【００２６】
第一基準面２８は、光導波路台１０における基板１１の前面１３が面接触する平坦な面として形成されている。また、第二基準面２９は、基板１１の右側面１６が面接触する同じく平坦な面として形成されている。第一基準面２８には、台本体１７の前面２１を貫通させてフェルール接続部９が開口形成されている。また、第一基準面２８には、切り欠き部３２が形成されている。切り欠き部３２は、フェルール接続部９と収納凹部２５の開口縁部との間に形成されている。切り欠き部３２は、光導波路部材７の収納取付方向（上下方向）にのびるように形成されている。切り欠き部３２は、この幅及び深さが光導波路６の幅及び高さよりも大きくなるように形成されている。
【００２７】
第一対向面３０は、光導波路台１０における基板１１の後面１４が対向する平坦な面として形成されている。また、第二対向面３１は、基板１１の左側面１５が対向する同じく平坦な面として形成されている。第一対向面３０には、素子接続部２６の位置に合わせて切り欠き部３２及びフィルタ取付部３３が形成されている。
【００２８】
第一対向面３０の切り欠き部３２は、素子接続部２６と収納凹部２５の開口縁部との間に形成されている。また、切り欠き部３２は、この幅及び深さが光導波路６の幅及び高さよりも大きくなるように形成されている。素子接続部２６は、台本体１７の後面２２を貫通するように形成されている。素子接続部２６は、発光素子４、受光素子５を圧入により固定することができるように形成されている。
【００２９】
第一対向面３０には、第一基準面２８に向けて光導波路部材７を押し付けるための第一押し付け部３４が形成されている。また、第二対向面３１には、第二基準面２９に向けて光導波路部材７を押し付けるための第二押し付け部３５が形成されている。第一押し付け部３４は、本形態において、上下方向にのびる突条であって、切り欠き部３２及びフィルタ取付部３３に挟まれる第一対向面３０の中央に配置形成されている。第一押し付け部３４は、一つ形成されている（一例であるものとする）。第一押し付け部３４の先端には、光導波路部材７を案内し易くするためのテーパ（又は丸み等）が形成されている。
【００３０】
第二押し付け部３５は、第一押し付け部３４と同じ形状に形成されている。第二押し付け部３５は、前後方向に所定の間隔をあけて二つ配置形成されている。尚、第一押し付け部３４及び第二押し付け部３５の形状や数や配置は任意であるものとする。第一押し付け部３４及び第二押し付け部３５は、板バネや他の弾性体であってもよいものとする。光導波路部材７を押し付けることができる機能を有していればよいものとする。
【００３１】
上記のフェルール接続部９及び素子接続部２６は、特許請求の範囲に記載される接続用貫通孔に相当するものとする。光導波路６は、フェルール接続部９及び素子接続部２６の位置に合わせて配置形成されている（言い換えれば、光ファイバ３、発光素子４、受光素子５の位置に合わせて配置形成されている。尚、光導波路部材７が圧縮力に対して若干弱い材質の場合には、収縮量を見越して光導波路６が配置形成されるものとする）。
【００３２】
台本体１７に連続する基板固定部１８には、基板差し込み用のスリット３６と、このスリット３６に直交する方向のねじ穴３７とが形成されている。図示しない基板に対する固定構造は、一例であるものとする。
【００３３】
上記のフェルール２、光ファイバ３、発光素子４、受光素子５、及び光フィルタ８として、本形態においては既知のものが用いられるものとする。従って、ここでは、これらの説明を省略するものとする。光フィルタ８は、発光素子４からの信号ノイズ成分を阻止するものであり、設定は任意であるものとする。
【００３４】
上記構成において、光導波路台１０の素子接続部２６に発光素子４、受光素子５を固定し、また、光導波路台１０の収納凹部２５に光導波路部材７を取付固定すると、一芯双方向光通信モジュール１の組み立てが完了する。組み立てが完了した一芯双方向光通信モジュール１は、発光素子４及び受光素子５の各リードフレーム３８を介して図示しない基板に接続され、また、光導波路台１０と図示しない基板とが固定され、そして、フェルール接続部９を介して光ファイバ３の端末のフェルール２が接続されると、光学的な接続が完了し、光信号の伝送が可能な状態になる。
【００３５】
光導波路部材７の収納凹部２５への取付固定に関しては、光導波路部材７を収納凹部２５に対し嵌め込むような格好で取り付けを開始すると、光導波路部材７が第一押し付け部３４及び第二押し付け部３５によって第一基準面２８及び第二基準面２９に押し付けられる。光導波路部材７は、基板１１の前面１３及び右側面１６が第一基準面２８及び第二基準面２９に押し付けられる。これにより光導波路部材７は、収納凹部２５での動きが阻止される。すなわち、光導波路部材７は、収納凹部２５に収納されると位置決めがなされ、また、固定も同時になされる。光導波路部材７は、光導波路台６の第一押し付け部３４及び第二押し付け部３５の存在により、むしろ圧入状態となり、位置決め及び固定がなされる。
【００３６】
光導波路部材７は、収納凹部２５への取付固定がなされると、自動的に光学的な接続に係る調芯が完了するようになっている。尚、光導波路部材７の収納凹部２５への取付固定に関しては、次のような特徴も有している。すなわち、光導波路部材７を収納凹部２５に対して取り付けすると、収納凹部２５の切り欠き部３２の存在により、光導波路部材７は光導波路６の端面が収納凹部２５に対して非接触の状態で収納される。光導波路６の端面は、収納凹部２５によって擦れることがなく、結果、光導波路６の端面の状態が良好に維持される。
【００３７】
以上、図１ないし図３を参照しながら説明してきたように、本発明の固定構造によれば、光軸のズレを防止することができるという効果を奏する。また、これにより、光学的な接続を良好な状態にすることができるという効果を奏する。さらに、本発明の固定構造によれば、光導波路６の端面を保護することができるという効果を奏する。
【００３８】
本発明の固定構造によれば、光導波路部材７を嵌め込み圧入形式で取付固定する構造であることから、生産性・量産性に優れるという効果も奏する。
【００３９】
続いて、図４を参照しながら一芯双方向光通信モジュール１の他の例を説明する。図４は一芯双方向光通信モジュール１に備えられるカバー３９の説明に係る模式図である。
【００４０】
図４において、光導波路台１０には、台本体１７の左側面２３及び右側面２４に対し嵌合するとともに、光導波路部材７に対して直接的又は間接的に接触するカバー３９が取り付けられている。カバー３９は、例えばコ字状のものであって、端部には台本体１７の左側面２３及び右側面２４に引掛かり係止される係止突起（図示省略）が形成されている。カバー３９には、例えば、光導波路部材７を収納凹部２５の底面２７に対して押し付ける弾性突起（図示省略）が形成されている。この弾性突起は、光導波路６に接触しない位置に配置形成されている。
【００４１】
本発明の固定構造によれば、光導波路部材７がカバー３９によっても押さえ付けられる構造になっている。従って、光導波路部材７はこの取り外し方向の動きも阻止されている。本発明の固定構造によれば、カバー３９の存在によって光軸のズレをより一層確実に防止することができるという効果を奏する。
【００４２】
続いて、図５を参照しながら切り欠き部３２の他の例を説明する。図５は他の例を示す切り欠き部３２′の模式図である。
【００４３】
図５において、切り欠き部３２′は、深さ方向の形状が平面視矩形でなく略円弧状に形成されている。切り欠き部３２′は、上述の形状と同様に光導波路６の端面に対して非接触の状態となるように形成されている。この場合も光導波路６の端面を保護することができるという効果を奏する。
【００４４】
その他、本発明は本発明の主旨を変えない範囲で種々変更実施可能なことは勿論である。
【００４５】
尚、上述の説明は一芯双方向光通信モジュールに本発明の固定構造を適用した例についての説明であるが、これに限らず光ジャンクションブロックに本発明の固定構造を適用することも可能であるものとする。
【図面の簡単な説明】
【００４６】
【図１】本発明の光導波路部材の固定構造の一実施の形態を示す一芯双方向光通信モジュールの斜視図である。
【図２】図１の一芯双方向光通信モジュールの分解斜視図である。
【図３】光導波路部材の固定構造の模式図である。
【図４】カバーの説明に係る模式図である。
【図５】切り欠き部の他の例を示す模式図である。
【符号の説明】
【００４７】
１  一芯双方向光通信モジュール
２  フェルール
３  光ファイバ
４  発光素子
５  受光素子
６  光導波路
７  光導波路部材
８  光フィルタ
９  フェルール接続部（接続用貫通孔）
１０  光導波路台
１１  基板
１７  台本体
１８  基板固定部
２５  収納凹部
２６  素子接続部（接続用貫通孔）
２８  第一基準面
２９  第二基準面
３０  第一対向面
３１  第二対向面
３２  切り欠き部
３４  第一押し付け部
３５  第二押し付け部
３９  カバー
【図１】
2007052163.tif 000003
【図２】
2007052163.tif 000004
【図３】
2007052163.tif 000005
【図４】
2007052163.tif 000006
【図５】
2007052163.tif 000007